(57)【要約】【課題】  撮影モードが適切でない場合に確実に報知する。  【解決手段】  レンズ付きフイルムユニット２は、被写体が明るい場合に最適な露光量を得られる第１撮影モードと、被写体が暗い場合に最適な露光量を得られる第２撮影モードとを備えている。そして、被写体が明るいにも関わらず第２撮影モードが選択されている場合、及び、被写体が暗いにも関わらず第１撮影モードが選択されている場合は、ファインダ６内に設けられたＬＥＤ８６が点灯することで、選択された撮影モードが適切でない旨が報知される。ＬＥＤ８６は、接眼レンズ９２と対物レンズ９４とを結ぶファインダ光路内に突出するように配置されているため視認性が良い。また、接眼レンズ９２側、及び、対物レンズ９４側の両方からＬＥＤ８６の点灯を確認できる。これにより、確実な報知を可能にする。【選択図】        図６
2006091741.tif 000002
【特許請求の範囲】
【請求項１】
接眼レンズと対物レンズとを有する光学式のファインダ装置を備えたカメラにおいて、
装置の動作状態に応じて点灯するインジケータランプを備えるとともに、前記インジケータランプの発光部を、前記接眼レンズと前記対物レンズとを結ぶファインダ光路内に配置したことを特徴とするカメラ。
【請求項２】
被写体の明るさを測定する照度センサを備えるとともに、被写体の明るさが高い場合に最適な露光量が得られるように設定された第１撮影モードと、被写体の明るさが低い場合に最適な露光量が得られるように設定された第２撮影モードとを備え、
前記インジケータランプは、前記照度センサにより測定された被写体の明るさが、予め設定された基準照度を下回っているにもかかわらず前記第１撮影モードが選択された場合、並びに、被写体の明るさが前記基準照度を上回っているにもかかわらず前記第２撮影モードが選択された場合に点灯することを特徴とする請求項１記載のカメラ。
【請求項３】
前記インジケータランプとして、ＬＥＤを用いたことを特徴とする請求項１又は２記載のカメラ。
【発明の詳細な説明】
【技術分野】
【０００１】
本発明は、接眼レンズと対物レンズとを有する光学式のファインダ装置を備えたカメラに関するものである。
【背景技術】
【０００２】
下記特許文献１には、露光不足やフイルムの残量不足など使用条件が不適切な場合に、通常とは異なる動作をすることで、撮影者に異常を報知するようにしたカメラが記載されている。このカメラによれば、報知用として特別な部材を追加する必要がないので、コストの削減ができる。
【特許文献１】特開２００３−３４４９３２号公報
【発明の開示】
【発明が解決しようとする課題】
【０００３】
しかしながら、上記特許文献１記載の装置は、コスト削減はできるものの、確実に報知を行うといった点において十分であるとは言い難く、撮影者が異常に気付かずそのまま撮影を行ってしまう場合があり問題であった。
【０００４】
本発明は、動作状態を確実に報知することのできるカメラを提供することを目的としている。
【課題を解決するための手段】
【０００５】
上記目的を達成するために、本発明のカメラは、装置の動作状態に応じて点灯するインジケータランプを備えるとともに、前記インジケータランプの発光部を、前記接眼レンズと前記対物レンズとを結ぶファインダ光路内に配置したことを特徴としている。
【０００６】
また、被写体の明るさを測定する照度センサを備えるとともに、被写体の明るさが高い場合に最適な露光量が得られるように設定された第１撮影モードと、被写体の明るさが低い場合に最適な露光量が得られるように設定された第２撮影モードとを備え、前記インジケータランプは、前記照度センサにより測定された被写体の明るさが、予め設定された基準照度を下回っているにもかかわらず前記第１撮影モードが選択された場合、並びに、被写体の明るさが前記基準照度を上回っているにもかかわらず前記第２撮影モードが選択された場合に点灯することを特徴とするものでもよい。
【０００７】
前記インジケータランプとして、ＬＥＤを用いることが好ましい。
【発明の効果】
【０００８】
本発明のカメラは、動作状態に応じて点灯するインジケータランプの発光部を、接眼レンズと対物レンズとを結ぶファインダ光路内に配置したので、インジケータランプが視認しやすく、カメラの動作状態を確実に報知することができる。また、接眼側及び対物側の両方からインジケータランプの確認ができるので、カメラの動作状態をより確実に報知することができる。
【発明を実施するための最良の形態】
【０００９】
以下、１回使い切り型の簡易型カメラであるレンズ付きフイルムユニットに本発明を適用した場合について説明を行う。図１に、レンズ付きフイルムユニット２の外観を示す。なお、図１（Ａ）は第１撮影モードの状態を、同図（Ｂ）は第２撮影モードの状態をそれぞれ示している。
【００１０】
レンズ付きフイルムユニット２は、各種撮影機構が組み込まれたユニット本体３と、このユニット本体３の製造時に装填された写真フイルム２４（図２参照）と、ユニット本体３の外周に巻き付けられるようにして貼付されるラベル４とからなる。レンズ付きフイルムユニット２の前面には、撮影レンズ５、ファインダ６，撮影モード選択部８、並びに、後述する報知ユニット８０（図３参照）を構成する照度センサ８４が設けられている。また、レンズ付きフイルムユニット２の上面には、レリーズボタン９，カウンタ表示窓１０が設けられ、背面には撮影後のフイルム巻き上げに用いられる巻上げノブ１２の一部が露呈されている。
【００１１】
このレンズ付きフイルムユニット２は、フラッシュ装置を備えておらず、代わりに写真フイルム２４として、例えば、フイルム感度がＩＳＯ３２００の高感度タイプのものを用いている。フラッシュ装置を用いて撮影を行うと、フラッシュ光の届く主要被写体は明るく撮影できるものの、フラッシュ光が届かない背景などは暗くなってしまうといった問題があるが、高感度の写真フイルムを用い、フラッシュによらず撮影を行うことで、このような問題を防止することができる。
【００１２】
しかし、このような高感度の写真フイルムを用いると、日中の撮影など、被写体の明るさが比較的高い場合に、露出オーバーになってしまうといった問題がある。このため、レンズ付きフイルムユニット２は、露出の設定が異なる第１、第２の２つの撮影モードを備え、撮影モード選択部８により撮影モードを切替えながら撮影を行うようになっている。
【００１３】
撮影モード選択部８は、ユニット本体３の前面に形成された操作開口１４と、この操作開口１４内で回動自在とされた略小判形状の操作部材１５とからなる。操作部材１５は、図１（Ａ）に示される第１操作位置と、同図（Ｂ）に示されるように、第１操作位置から図中時計方向に回動された第２操作位置との間で回動される。
【００１４】
操作部材１５が第１操作位置にある際に、小絞り及び高速シャッタにより、例えば、日中の撮影など、被写体の明るさが比較的高い場合に最適な露光量が得られる第１撮影モードとなる。また、操作部材１５が第２操作位置にある際には、大絞り及び低速シャッタにより、例えば、屋内や夜間の撮影など、被写体の明るさが比較的低い場合に最適な露光量が得られる第２撮影モードとなる。
【００１５】
図２に示すように、ユニット本体３は、本体基部２３と、本体基部２３の前面側及び背面側に取り付けられる前カバー２６及び後カバー２７とからなり、写真フイルム２４は、本体基部２３に装填される。写真フイルム２４は、パトローネ２５から引き出された状態で装填され、撮影の進行とともにパトローネ２５内に巻き取られていく。
【００１６】
本体基部２３の前面中央には、遮光筒３５が設けられている。この遮光筒３５の周囲には、シャッタチャージ機構，シャッタ機構，フイルム巻上げ機構，フイルム巻止機構，フイルムカウント機構，絞り切替機構，シャッタ速度切替機構などの各種機構、並びに、ファインダ６や、報知ユニット８０が取り付けられている。
【００１７】
図３は、遮光筒３５の周囲に組み込まれた各種機構、並びに、ファインダ６、報知ユニット８０の構成を表す分解斜視図である。遮光筒３５の前面には、矩形状の露光開口３７が形成されている。また、遮光筒３５の前面には、シャッタ羽根３８を揺動自在に支持するピン３９と、バネ４０の一端が掛けられるピン４１とが設けられている。
【００１８】
シャッタ機構を構成するシャッタ羽根３８は、ピン３９に挿通される穴４３ａが形成されたベース部４３と、露光開口３７の前方に配置されて該露光開口３７の開閉を行う羽根部４４とからなる。ベース部４３には、バネ４０の他端が掛けられるピン４３ｂと、シャッタ駆動レバー４７によって蹴飛ばされる突出部４３ｃと、速度調節突起４３ｄとが設けられている。シャッタ羽根３８は、バネ４０に付勢されて露光開口３７を塞ぐ閉じ位置に保持されている。
【００１９】
シャッタ駆動レバー４７は、シャッタ機構を構成する部品の一つであり、シャッタチャージ機構によって図中矢線Ａと逆方向に回動し、チャージ位置にセットされる。そして、レリーズボタン９の押圧操作に応答して、チャージ解除位置に向けて矢線Ａ方向に回動し、その際にシャッタ羽根３８の突出部４３ｃを蹴飛ばす。シャッタ駆動レバー４７に蹴飛ばされたシャッタ羽根３８は、バネ４０の付勢に抗して図中矢線Ｂ方向に回動し、露光開口３７を全開した後に、バネ４０の付勢によって閉じ位置に復帰する。シャッタ羽根３８は、露光開口３７を全開させる全開位置を経て、レンズホルダ５６に設けられたストッパーピン５６ａに当接する移動端位置に達するまで回動可能にされている。
【００２０】
レンズホルダ５６上部には、ストップレバー４９を回動自在に支持するピン５０が形成されている。ストップレバー４９は、ピン５０に支持されるボス５１と、このボス５１の側面から突出された２本のアーム５２，５３とからなり、一方のアーム５２の先端にパッド５２ａが形成されている。ストップレバー４９は、パッド５２ａがシャッタ羽根３８の速度調節突起４３ｄの移動軌跡内に入り込んだ高速シャッタ位置と、パッド５２ａがその移動軌跡から退避した低速シャッタ位置との間で回動される。
【００２１】
図４（Ａ）に示すように、ストップレバー４９が高速シャッタ位置にあるときにシャッタレリーズが行われると、シャッタ羽根３８の速度調節突起４３ｄがパッド５２ａに当接するので、シャッタ羽根３８は全開位置から移動端位置への途中で回動が阻止される。これにより、短時間でシャッタ羽根３８が閉じ位置に復帰する。このときのシャッタ速度は、例えば、１／１００秒とされており、これが第１撮影モードの高速シャッタのシャッタ速度となる。
【００２２】
上記とは逆に、図４（Ｂ）に示すように、ストップレバー４９が低速シャッタ位置にあるときには、速度調節突起４３ｄがパッド５２ａに当接しないで回動する。このため、シャッタ羽根３８は、移動端位置まで回動する。その結果、シャッタ羽根３８が閉じ位置に復帰するまでの時間が長くなって、シャッタ速度が遅くなる。このときのシャッタ速度は、例えば、１／４５秒とされており、これが第２撮影モードの低速シャッタのシャッタ速度となる。
【００２３】
図３に示されるように、遮光筒３５の前方には、レンズホルダ５６が取り付けられる。レンズホルダ５６の前面中央には、略筒形状の鏡筒５７が形成されている。鏡胴５７の外周には、切替リング６８が設けられている。鏡筒５７内には、大絞り板６２と、撮影レンズ５とが組み込まれる。また、大絞り板６２と撮影レンズ５との間に絞り切替板６３が設けられている。さらに、レンズホルダ５６の最前面には、これらレンズホルダ５６に取り付けられた部品がはずれないように、押さえ板６５が取り付けられている。
【００２４】
大絞り板６２，絞り切替板６３，切替リング６８等により、絞り切替機構が構成される。大絞り板６２は、円形の薄板からなり、中央に大径の絞り開口６２ａが形成されている。絞り開口６２ａは、第２撮影モードの大絞りとなるものであって、例えば、絞り値がＦ４．０となるようにその径が決められている。
【００２５】
絞り切替板６３は、く字形状の薄板からなり、一端に大絞り開口６２ａを塞ぐ大きさの小絞り部６３ａが設けられ、この小絞り部６３ａに小径の絞り開口６３ｂが形成されている。絞り開口６３ａは、第１撮影モードの小絞りとなるものであって、例えば、絞り値がＦ１８となるようにその径が決められている。絞り切替板６３の他端には、穴６３ｃと屈曲された長穴６３ｄとが形成されている。穴６３ｃは、レンズホルダ５６の鏡筒５７の近傍に形成されたピン６６に挿通され、絞り切替板６３を揺動自在とする。
【００２６】
上記の絞り切替板６３は、小絞り部６３ａを撮影光軸上に配置する小絞り位置と、小絞り部６３ａを鏡筒５７の外に退避させ、大絞り開口６２ａを露呈させる大絞り位置との間で回動される。小絞り位置となると、撮影光は、大径の絞り開口６２ａと、小径の絞り開口６３ｂとを通過するようになり、結果的には径の小さい小絞り開口６３ｂによって光量が制限される。
【００２７】
切替リング６８は、鏡胴５７に回動自在に嵌入される。切替リング６８には、バネ７０の一端が掛けられるバネ掛けピン６８ａと、絞り切替板６３の長穴６３ｄに挿入されるリンクピン６８ｂと、ストップレバー４９のアーム５３を間に挟み込む一対の挟持ピン６８ｃと、背面側に突出した従動ピン６８ｄとが設けられている。
【００２８】
バネ７０の他端は、レンズホルダ５６の前面下部に形成されたピン７１に掛けられ、切替リング６８を図中矢線Ｃ方向に付勢する。なお、バネ７０によって付勢された切替リング６８は、絞り切替板６３によって所定の初期位置に保持される。
【００２９】
操作部材１５には、略小判形状の切替板７４が一体に形成されており、この切替板７４には水平方向に突出された押圧レバー７４ａが一体に形成されている。操作部材１５が第１操作位置から第２操作位置に回動すると、押圧レバー７４ａが切替リング６８の従動ピン６８ｄを下方から押圧する。これにより、切替リング６８は、バネ７０の付勢に抗して矢線Ｃ方向と逆方向に回動される。
【００３０】
第１撮影モードのときの切替リング６８の状態を図５（Ａ）に、第２影モードのときの切替リング６８の状態を同図（Ｂ）にそれぞれ示す。図５（Ａ）に示されるように、操作部材１５が第１操作位置のときには、操作部材１５の押圧レバー７４ａは切替リング６８の従動ピン６８ｄに接触しない。そのため、切替リング６８は、絞り切替板６３によって初期位置に保持されている。
【００３１】
切替リング６８が初期位置にある際には、リンクピン６８ｂによって絞り切替板６３の小絞り部６３ａが鏡筒５７内に挿入される。これにより、小絞り部６３ａが大絞り開口６２ａを塞いで小絞り状態となる。また、一対の挟持ピン６８ｃは、ストップレバー４９を高速シャッタ位置に保持している。
【００３２】
図５（Ｂ）に示すように、操作部材１５が第１操作位置から第２操作位置へと回動されると、バネ７０の付勢に抗して押圧レバー７４ａが従動ピン６８ｄを下方から押圧して切替リング６８を図中反時計方向に回動させる。この切替リング６８の回動により、リンクピン６８ｂに押圧された絞り切替板６３が図中時計方向に回動し、小絞り部６３ａが光軸上から退避して大絞り状態となる。また、一対の挟持ピン６８ｃはストップレバー４９を低速シャッタ位置にセットする。
【００３３】
このように、このレンズ付きフイルムユニット２は、操作部材１５を操作して、切替リング６８を回動させることでシャッタスピード及び絞りを切替えて露光量を変更することができる。このため、日中の撮影など被写体の明るさが比較的高い場合は、第１撮影モードにセットすれば露出オーバーにならず良好な撮影が行える。また、前述のように、レンズ付きフイルムユニット２は、高感度の写真フイルムを用いているので、屋内や夜間の撮影など被写体の明るさが低い場合は、第２撮影モードにセットすればフラッシュ装置を用いずに撮影を行っても露出アンダーにならず良好な撮影が行える。
【００３４】
しかし、モード選択が適切でないと、露出アンダーや露出オーバーとなってしまう。このため、図３に示すように、レンズ付きフイルムユニット２には、報知ユニット８０が設けられている。報知ユニット８０は、基盤８２に、照度センサ８４、ＬＥＤ８６、モード検出スイッチ８８、ＣＰＵ９０が配置されたものであり、モード選択が適切でない場合、これを報知するためのインジケータランプであるＬＥＤ８６を点灯させる。報知ユニット８０は、基盤８２がファインダ６の側部に取り付けられて固定される。
【００３５】
ファインダ６は、撮影者側に配置される接眼レンズ９２と、被写体側に配置され、接眼レンズ９２よりも一回り大きく形成された対物レンズ９４とが、断面略コ字形状のファインダ鏡胴９６に収められた光学式ファインダ装置であり、遮光筒３５の上面に取り付けられる。
【００３６】
ファインダ鏡胴９６の側面には、照度センサホルダ９８、及び、ＬＥＤホルダ１００が形成されている。照度センサホルダ９８は、ファインダ鏡胴９６の側方に突出するように形成されたステー９８ａと、このステー９８ａの先端部分に取り付けられた円筒形状の保持部９８ｂとからなる。照度センサ８４は、接眼レンズ９２側から保持部９８ｂ内に嵌め込まれて保持される。照度センサ８４が照度センサホルダ９８に嵌め込まれると、照度センサ８４の先端に形成された受光面がレンズ付きフイルムユニット２から露呈される。そして、照度センサ８４は、被写体から受光面に入射した光の量から被写体の明るさを検出して、この被写体の明るさを表す照度情報をＣＰＵ９０へ出力する。
【００３７】
ＬＥＤホルダ１００は、ファインダ鏡胴９６の側面に形成された開口により構成され、ここにＬＥＤ８６が嵌め込まれて保持される。ファインダ鏡胴９６を上方から観察した図６（Ａ）、及び、ファインダ鏡胴９６を対物レンズ９４側から観察した同図（Ｂ）に示すように、ＬＥＤ８６は、ファインダ鏡胴９６の側方からＬＥＤホルダ１００に嵌め込まれ、接眼レンズ９２と対物レンズ９４とを結ぶファインダ光路内に突出するように配置される。こうすることで、接眼レンズ９２側、及び、対物レンズ９３側の両側から、直接ＬＥＤを確認することができるので、ＬＥＤ８６が点灯した際の視認性が高くなる。
【００３８】
モード検出スイッチ８８は、平行に延びる金属製の板状の検出端子８８ａ、８８ｂを備え、この検出端８８ａ、８８ｂの端部が、切替リング６８の従動ピン６８ｄの上方に配置されている。モード検出スイッチ８８は、検出端子８８ａと検出端子８８ｂとが離れている場合はオフであり、検出端子８８ａと検出端子８８ｂとが接触した場合はオンとなり、このときオン信号をＣＰＵ９０へ出力する。
【００３９】
図７（Ａ）に示すように、操作部材１５が第１操作位置あり、切替リング６８が初期位置に保持されている場合、すなわち、レンズ付きフイルムユニット２が第１撮影モードにセットされている場合、従動ピン６８ｄは下側の検出端子８８ｂから離れた位置にある。このため、検出端子８８ａと検出端子８８とは離れた状態であり、モード検出スイッチ８８は、オフ状態となる。
【００４０】
上記とは逆に、図７（Ｂ）に示すように、操作部材１５が第１操作位置から第２操作位置へと回動された場合、すなわち、レンズ付きフイルムユニット２が第２撮影モードにセットされた場合、切替リング６８が図中反時計方向に回動して、下側の検出端子８８ｂを上方に押し上げる。これにより、検出端子８８ｂが弾性変形して上側の検出端子８８ａと当接する。これにより、モード検出スイッチ８８がオン状態となり、オン信号がＣＰＵ９０へ出力される。
【００４１】
ＣＰＵ９０は、基盤８２を介して、照度センサ８４、ＬＥＤ８６、モード検出スイッチ８８と接続され、これら接続された各部を駆動制御する。また、ＣＰＵ９０には、良好な撮影を行うために、第１撮影モードにて撮影するべき被写体の明るさと、第２撮影モードにて撮影するべき被写体の明るさとの境界である基準照度が記憶されている。そして、ＣＰＵ９０は、この基準照度、並びに、照度センサ８４、モード検出スイッチ８８から入力される信号に基づいて前記報知を行う。
【００４２】
以下、図８に示すフローチャートに基づいて、報知の手順について説明する。先ず、ＣＰＵ９０は、基準照度と照度センサ８４により得られた被写体の明るさとを比較する。続いて、ＣＰＵ９０は、現在選択されているモードを調べる。前述のように、第１撮影モードが選択されている場合、モード検出スイッチ８８はオフとなり、第２撮影モードが選択されている場合、モード検出スイッチ８８がオンとなる。ＣＰＵ９０は、モード検出スイッチ８８からの信号に基づいて、現在選択されているモードを検知する。
【００４３】
そして、ＣＰＵ９０は、被写体の明るさが基準照度よりも高いにも関わらず、低速シャッタ及び大絞りの第２撮影モードが選択されている場合は、ＬＥＤ８６を点灯させて、撮影モードが適切でない旨を報知する。また、ＣＰＵ９０は、被写体の明るさが基準照度よりも低いにも関わらず、高速シャッタ及び小絞りの第２撮影モードが選択されている場合は、ＬＥＤ８６を点灯させて、撮影モードが適切でない旨を報知する。
【００４４】
以下、上記構成による本発明の作用について説明する。レンズ付きフイルムユニット２は、ストロボ装置に代えて、高感度の写真フイルム２４が内蔵されており、露出の異なる第１、第２の撮影モードを切替えながら撮影を行う。撮影者は、操作部材１５を操作して撮影モードを選択した後、ファインダ６によりフレーミングを行い、レリーズボタン９を押下して撮影を行う。
【００４５】
日中屋外等の明るい場所で撮影を行う場合には、図１（Ａ）に示されるように、操作部材１５を第１操作位置にする第１撮影モードを選択する。第１撮影モードでは、高速シャッタ、小絞りにて撮影が行われる。これにより、露出オーバーを防止した良好な条件にて撮影を行える。
【００４６】
一方、夜景等のように暗い被写体を撮影するような場合、あるいは室内を背景に人物等の主要被写体を撮影する場合には、図１（Ｂ）に示されるように、操作部材１５を第２操作位置にする第２撮影モードを選択する。第２撮影モードでは、低速シャッタ、大絞りにて撮影が行われる。レンズ付きフイルムユニット２は、高感度の写真フイルム２４を用いているので、低速シャッタ、大絞りにて撮影することで、被写体の明るさが低い場合でもストロボなしで撮影を行える。これにより、室内の照明等のアベイラブル光を活かした撮影ができ、例えば、背景と主要被写体との明るさや色合いに一体感がある写真画像を得ることができる。
【００４７】
選択された撮影モードが適切でない場合、すなわち、被写体の明るさが高いにも関わらず、第２撮影モードが選択されている場合、及び、被写体の明るさが低いにも関わらず、第２撮影モードが選択されている場合は、ファインダ６内に設けられたＬＥＤ８６が点灯することで、この旨が報知される。撮影者は、この報知を確認した場合、撮影モードを切替えればよい。
【００４８】
ＬＥＤ８６は、図６に示されるように、接眼レンズ９２と対物レンズ９４とを結ぶファインダ光路内に突出するように配置されている。このため、ＬＥＤ８６が点灯した際の視認性が良く、前記報知を確実に行え、撮影者がＬＥＤ８６の点灯に気づかずに撮影を行ってしまうといった問題を防止することができる。また、ファインダ光路内にＬＥＤ８６を配置することで、接眼レンズ９２側、及び、対物レンズ９４側の両方からＬＥＤ８６の点灯を確認できるので、より確実な報知を行える。さらに、接眼レンズ９２からＬＥＤ８６までの距離は、接眼レンズ９２から被写体までの距離に対して短く、フレーミングの際にＬＥＤ８６が消灯していれば、ＬＥＤ８６がぼやけるのでフレーミングを妨げることがない。
【００４９】
なお、上記実施形態では、撮影モードの選択が適切でない場合に、ＬＥＤを点灯させる例で説明をしたが、本発明はこれに限定されるものではない。例えば、シャッタを切ったときの合図や、電池切れの合図としてＬＥＤを点灯させてもよい。また、ストロボ装置を内蔵したカメラにおいては、ストロボの使用、不使用の合図や、ストロボ充電の完了の合図としてＬＥＤを点灯させてもよい。もちろん、上記以外の各種動作に応じてＬＥＤを点灯させて各種報知を行ってもよい。このように、各種報知を行う場合は、報知する情報の種類に応じてＬＥＤの発光パターンを変化させたり、複数のＬＥＤをファインダ内に設け、報知する情報の種類に応じて異なる場所のＬＥＤを点灯させればよい。
【００５０】
また、ＬＥＤを発光させることで報知を行う例で説明をしたが、ＬＥＤ以外の光源を用い、この光源を発光させることによって報知を行ってもよい。
【００５１】
なお、上記実施形態では、レンズ付きフイルムユニットを例に説明をしたが、例えば、コンパクトカメラや、デジタルカメラなど、レンズ付きフイルムユニット以外のカメラに対しても同様に本発明を適用することができる。
【図面の簡単な説明】
【００５２】
【図１】レンズ付きフイルムユニットの外観斜視図である。
【図２】ユニット本体の分解図である。
【図３】本体基部の分解図である。
【図４】シャッタ速度が切替えられる様子を表す説明図である。
【図５】絞りが切替えられる様子を表す説明図である。
【図６】ファインダ光路内にＬＥＤが突出している様子を表す説明図である。
【図７】モード検出スイッチの動作を表す説明図である。
【図８】報知手順を表すフローチャートである。
【符号の説明】
【００５３】
２  レンズ付きフイルムユニット
３  ユニット本体
６  ファインダ
８  撮影モード選択部
１５  操作部材
２４  写真フイルム
３８  シャッタ羽根
４９  ストップレバー
６２  大絞り板
６３  絞り切替板
８０  報知ユニット
８２  基盤
８４  照度センサ
８６  ＬＥＤ
８８  モード検出スイッチ
９０  ＣＰＵ
９２  接眼レンズ
９４  対物レンズ
９６  ファインダ鏡胴
９８  照度センサホルダ
１００  ＬＥＤホルダ
【図１】
2006091741.tif 000003
【図２】
2006091741.tif 000004
【図３】
2006091741.tif 000005
【図４】
2006091741.tif 000006
【図５】
2006091741.tif 000007
【図６】
2006091741.tif 000008
【図７】
2006091741.tif 000009
【図８】
2006091741.tif 000010